(57)【特許請求の範囲】
【請求項１】
所定の光学装置の光入射面を照明領域として照明する照明光学系であって、
光源と、
前記光源から射出された光を複数の部分光線束に分割する複数の小レンズを有する第１のレンズアレイと、
前記第１のレンズアレイの複数の小レンズにそれぞれ対応する複数の小レンズを有する第２のレンズアレイと、を備え、
前記第２のレンズアレイは、前記第１のレンズアレイから射出された複数の部分光線束が集光される近傍位置に配置されており、前記複数の小レンズで構成される複数のレンズ列の間には、それぞれ平面部が形成されており、
前記第１のレンズアレイは、Ｍ列（Ｍは２以上の整数）の小レンズ列を有しており、前記第２のレンズアレイは、Ｎ列（ＮはＭよりも小さな１以上の整数）の小レンズ列を有しており、
前記第１のレンズアレイ内の複数の小レンズ列で形成された複数列の部分光線束を、より少ない列にまとめて前記第２のレンズアレイに入射させることによって、前記第１のレンズアレイのＭ列の小レンズ列で分割された部分光線束が前記第２のレンズアレイのＮ列の小レンズ列に入射するように構成されており、
前記第１のレンズアレイ内の前記複数の小レンズ列は２列の小レンズ列であり、
前記２列の小レンズ列は、前記２列の小レンズ列のうち外側の１列の各小レンズの位置が、列の方向に沿って、内側の１列の各小レンズの位置からずれて配列されており、
前記第１のレンズアレイの前記２列の小レンズ列に対応する前記第２のレンズアレイの１列の小レンズ列は、前記第１のレンズアレイの前記外側の１列の小レンズに対応する第１の小レンズと、前記内側の１列の小レンズに対応する第２の小レンズとが交互に配列されていることを特徴とする照明光学系。
【請求項２】
請求項１記載の照明光学系であって、
前記第２のレンズアレイの複数の小レンズは、それぞれ対応する第１のレンズアレイの複数の小レンズによって集光された部分光線束の輪郭形状に応じて、略矩形形状以外の多角形形状に形成されている、照明光学系。
【請求項３】
請求項１または請求項２記載の照明光学系であって、
前記第２のレンズアレイの平面部は、前記平面部を有せずに複数の小レンズが敷き詰め配置されていると仮定したときに、前記複数の小レンズのうち前記偏光変換光学系の前記無効入射面に光を入射させる部分の少なくとも一部に形成されている、照明光学系。
【請求項４】
請求項２または請求項３記載の照明光学系であって、
前記第２のレンズアレイの中心を通り、互いに垂直な２つの基準軸を定義したときに、前記第２のレンズアレイの複数の小レンズを区分する区分線のうち少なくとも一部は、前記２つの基準軸から離れるに従って、前記２つの基準軸に対する傾きが大きくなるように形成されている、照明光学系。
【請求項５】
請求項２または請求項３記載の照明光学系であって、
前記第２のレンズアレイの複数の小レンズの少なくとも一部は、前記２つの基準線のうち、一方の基準線に平行な２つの区分線と、他方の基準線に対して傾いた２つの区分線とで区分された台形形状を有している、照明光学系。
【請求項６】
請求項１ないし請求項５のいずれかに記載の照明光学系であって、
前記平面部の表面には光拡散面が形成されている、照明光学系。
【請求項７】
請求項１ないし請求項５のいずれかに記載の照明光学系であって、
前記平面部の表面には遮光面が形成されている、照明光学系。
【請求項８】
請求項１ないし請求項７のいずれかに記載の照明光学系であって、
入射光線束を前記入射光線束の幅よりも小さな幅を有する射出光線束に変換するアフォーカル光学系を備える、照明光学系。
【請求項９】
請求項８記載の照明光学系であって、
前記第１のレンズアレイの近傍に、前記アフォーカル光学系を実現するための集光機能を有する集光レンズを備えており、
前記第２のレンズアレイの複数の小レンズは、前記アフォーカル光学系を実現するための光を平行化する機能を有している、照明光学系。
【請求項１０】
画像を投写して表示する投写型表示装置であって、
所定の照明領域を照明する照明光学系と、
前記照明領域としての光入射面を有し、前記照明光学系からの入射光を画像情報に応じて変調する光変調装置と、
前記光変調装置で得られる変調光を投写する投写光学系と、を備え、
前記照明光学系は、
光源と、
前記光源から射出された光を複数の部分光線束に分割する複数の小レンズを有する第１のレンズアレイと、
前記第１のレンズアレイの複数の小レンズにそれぞれ対応する複数の小レンズを有する第２のレンズアレイと、を備え、
前記第２のレンズアレイは、前記第１のレンズアレイから射出された複数の部分光線束が集光される近傍位置に配置されており、前記複数の小レンズで構成される複数のレンズ列の間には、それぞれ平面部が形成されており、
前記第１のレンズアレイは、Ｍ列（Ｍは２以上の整数）の小レンズ列を有しており、前記第２のレンズアレイは、Ｎ列（ＮはＭよりも小さな１以上の整数）の小レンズ列を有しており、
前記第１のレンズアレイ内の複数の小レンズ列で形成された複数列の部分光線束を、より少ない列にまとめて前記第２のレンズアレイに入射させることによって、前記第１のレンズアレイのＭ列の小レンズ列で分割された部分光線束が前記第２のレンズアレイのＮ列の小レンズ列に入射するように構成されており、
前記第１のレンズアレイ内の前記複数の小レンズ列は２列の小レンズ列であり、
前記２列の小レンズ列は、前記２列の小レンズ列のうち外側の１列の各小レンズの位置が、列の方向に沿って、内側の１列の各小レンズの位置からずれて配列されており、
前記第１のレンズアレイの前記２列の小レンズ列に対応する前記第２のレンズアレイの１列の小レンズ列は、前記第１のレンズアレイの前記外側の１列の小レンズに対応する第１の小レンズと、前記内側の１列の小レンズに対応する第２の小レンズとが交互に配列されていることを特徴とする投写型表示装置。
【請求項１１】
請求項１０記載の投写型表示装置であって、
前記第２のレンズアレイの複数の小レンズは、それぞれ対応する第１のレンズアレイの複数の小レンズによって集光された部分光線束の輪郭形状に応じて、略矩形形状以外の多角形形状に形成されている、投写型表示装置。
【請求項１２】
請求項１０または請求項１１記載の投写型表示装置であって、
前記第２のレンズアレイの平面部は、前記平面部を有せずに複数の小レンズが敷き詰め配置されていると仮定したときに、前記複数の小レンズのうち前記偏光変換光学系の前記無効入射面に光を入射させる部分の少なくとも一部に形成されている、投写型表示装置。
【請求項１３】
請求項１１または請求項１２記載の投写型表示装置であって、
前記第２のレンズアレイの中心を通り、互いに垂直な２つの基準軸を定義したときに、前記第２のレンズアレイの複数の小レンズを区分する区分線のうち少なくとも一部は、前記２つの基準軸から離れるに従って、前記２つの基準軸に対する傾きが大きくなるように形成されている、投写型表示装置。
【請求項１４】
請求項１１または請求項１２記載の投写型表示装置であって、
前記第２のレンズアレイの複数の小レンズの少なくとも一部は、前記２つの基準線のうち、一方の基準線に平行な２つの区分線と、他方の基準線に対して傾いた２つの区分線とで区分された台形形状を有している、投写型表示装置。
【請求項１５】
請求項１０ないし請求項１４のいずれかに記載の投写型表示装置であって、
前記平面部の表面には光拡散面が形成されている、投写型表示装置。
【請求項１６】
請求項１０ないし請求項１４のいずれかに記載の投写型表示装置であって、
前記平面部の表面には遮光面が形成されている、投写型表示装置。
【請求項１７】
請求項１０ないし請求項１６のいずれかに記載の投写型表示装置であって、
入射光線束を前記入射光線束の幅よりも小さな幅を有する射出光線束に変換するアフォーカル光学系を備える、投写型表示装置。
【請求項１８】
請求項１７記載の投写型表示装置であって、
前記第１のレンズアレイの近傍に、前記アフォーカル光学系を実現するための集光機能を有する集光レンズを備えており、
前記第２のレンズアレイの複数の小レンズは、前記アフォーカル光学系を実現するための光を平行化する機能を有している、投写型表示装置。
【請求項１９】
請求項１０ないし請求項１８のいずれかに記載の投写型表示装置であって、
さらに、前記照明光学系からの射出光を少なくとも２色の色光に分離する色光分離光学系と、
前記色光分離光学系により分離された各色光をそれぞれ変調する複数の光変調装置と、
それぞれの前記電気光学装置で変調された後の各色の変調光を合成する色光合成光学系と、を備え、
前記色光合成手段によって得られた合成光が前記投写光学系を介して投写される、投写型表示装置。
【発明の詳細な説明】
【０００１】
【発明の属する技術分野】
本発明は、光源の射出光を複数の部分光線束に分割した後に、それぞれを同一の照明領域上でほぼ重畳させる照明光学系に関するものである。また、本発明は、この照明光学系を用いて均一で明るい画像を表示可能な投写型表示装置に関するものである。
【０００２】
【従来の技術】
投写型表示装置では、「ライトバルブ」と呼ばれる光変調装置に照射された照明光学系からの照明光を、表示させたい画像情報（画像信号）に応じて変調し、この変調光をスクリーン上に投写して画像表示を実現している。
【０００３】
このような投写型表示装置によって表示される画像は均一で明るいことが好ましい。しかし、照明光学系の光源から射出される光は、通常、光源の光軸付近の光の強度が最も高く、光軸から離れるに従って低くなる傾向にある。このような光をそのまま照明光とすると、投写型表示装置において不均一な画像が表示されることになる。このような問題を解決するため、従来より、照明領域である光変調装置を均一に照明する光学系としてインテグレータ光学系が利用されている。
【０００４】
このインテグレータ光学系としては、光源から射出される光を複数の部分光線束に分割し、分割された複数の部分光線束のそれぞれを、照明領域上で重畳することにより、均一な照明を実現するものが一般的である。
【０００５】
【発明が解決しようとする課題】
照明光学系の光源に用いられる光源ランプは、点光源であることが理想であるが、点光源を実現することは困難である。このため、上記インテグレータ光学系においては、光源からの光を複数の部分光線束に分割するとともに照明領域上で重畳する際に、光源から射出された光の利用効率が低下し、無効な光が構成部品を発熱させる場合がある。
【０００６】
しかし、投写型表示装置によって表示される画像は、より明るいことが好ましため、これに用いられる照明光学系としては、光の利用効率がより高いことが望まれている。
【０００７】
また、インテグレータ光学系の分割光学系は、複数の小レンズが敷き詰め配置されたレンズアレイを用いて構成されることが一般的であるが、このレンズアレイを精度よく製造することが難しいという問題もある。
【０００８】
この発明は、従来技術における上述の課題を解決するためになされたものであり、照明光学系の光の利用効率の向上を図り、構成部品の発熱を低く押さえることができる技術を提供することを第１の目的とする。また、分割光学系に用いられるレンズアレイを容易に製造する技術を提供することを第２の目的とする。さらに、投写型表示装置において、均一でより明るい投写画像を得ることを第３の目的とする。
【０００９】
【課題を解決するための手段およびその作用・効果】
上述の課題の少なくとも一部を解決するため、本発明の照明光学系は、
所定の光学装置の光入射面を照明領域として照明する照明光学系であって、
光源と、
前記光源から射出された光を複数の部分光線束に分割する複数の小レンズを有する第１のレンズアレイと、
前記第１のレンズアレイの複数の小レンズにそれぞれ対応する複数の小レンズを有する第２のレンズアレイと、を備え、
前記第２のレンズアレイは、前記第１のレンズアレイから射出された複数の部分光線束が集光される近傍位置に配置されており、前記複数の小レンズで構成される複数のレンズ列の間には、それぞれ平面部が形成されており、
前記第１のレンズアレイは、Ｍ列（Ｍは２以上の整数）の小レンズ列を有しており、前記第２のレンズアレイは、Ｎ列（ＮはＭよりも小さな１以上の整数）の小レンズ列を有しており、
前記第１のレンズアレイ内の複数の小レンズ列で形成された複数列の部分光線束を、より少ない列にまとめて前記第２のレンズアレイに入射させることによって、前記第１のレンズアレイのＭ列の小レンズ列で分割された部分光線束が前記第２のレンズアレイのＮ列の小レンズ列に入射するように構成されており、
前記第１のレンズアレイ内の前記複数の小レンズ列は２列の小レンズ列であり、
前記２列の小レンズ列は、前記２列の小レンズ列のうち外側の１列の各小レンズの位置が、列の方向に沿って、内側の１列の各小レンズの位置からずれて配列されており、
前記第１のレンズアレイの前記２列の小レンズ列に対応する前記第２のレンズアレイの１列の小レンズ列は、前記第１のレンズアレイの前記外側の１列の小レンズに対応する第１の小レンズと、前記内側の１列の小レンズに対応する第２の小レンズとが交互に配列されていることを特徴とする。
【００１０】
本発明の照明光学系によれば、第２のレンズアレイは、前記複数の小レンズで構成される複数のレンズ列の間にそれぞれ平面部が形成されているので、各小レンズ同士は互いに平面部を介して接続され、互いに直接接することはない。これにより、レンズ同士が直接接している場合に比べて、第２のレンズアレイを容易に精度良く製造することができる。
また、第１のレンズアレイのＭ列の小レンズ列で分割された部分光線束が第２のレンズアレイのＮ列の小レンズ列に入射するようにすることができるので、第２のレンズアレイから射出される部分光線束の列の間隔を広げることができる。これにより、第２のレンズアレイと、当該第２のレンズアレイから射出された光を照明領域に重畳させる重畳光学系との間に複数の部分光線束の各列に対応する光学要素を備えた場合に、この各列に対応する光学要素の列方向の幅を大きくすることができるので、この各列に対応する光学要素への光の入射効率を向上させることができる。この結果、照明光学系の光の利用効率の向上を図ることができる。
さらに、第１のレンズアレイの２列の小レンズ列に対応する第２のレンズアレイの１列の小レンズ列は、第１のレンズアレイの外側の１列の小レンズに対応する第１の小レンズと、内側の１列の小レンズに対応する第２の小レンズとが交互に配列されているので、第１のレンズアレイの２列の小レンズ列から射出された複数の部分光線束を、容易に、１列に並ぶ複数の部分光線束として第２のレンズアレイに入射させることができる。
【００１１】
なお、前記第２のレンズアレイの複数の小レンズは、それぞれ対応する第１のレンズアレイの複数の小レンズによって集光された部分光線束の輪郭形状に応じて、略矩形形状以外の多角形形状に形成されていることが好ましい。
【００１２】
第１のレンズアレイの各小レンズから射出された部分光線束は、対応する第２のレンズアレイの各小レンズに入射しないと、有効な照明光として利用できない場合がある。この結果として照明光学系の光の利用効率が低下する場合がある。これに対して、本発明の照明光学系においては、それぞれ対応する第１のレンズアレイの複数の小レンズによって集光された部分光線束の輪郭形状に応じて、略矩形形状以外の多角形形状に形成されていることにより、第１のレンズアレイの各小レンズから射出された部分光線束が、対応する第２のレンズアレイの小レンズに隣接する他の小レンズに入射することを抑制することができる。これにより、照明光学系の光の利用効率を向上させることができる。なお、「略矩形形状」とは、完全に矩形形状（長方形や正方形）である場合のみならず、設計誤差等で完全に矩形形状となっていない場合や、多少の角の面取り加工が加えられた形状を含む。すなわち、レンズの設計思想として矩形形状であることを意味する。
【００１３】
また、前記第２のレンズアレイの平面部は、前記平面部を有せずに複数の小レンズが敷き詰め配置されていると仮定したときに、前記複数の小レンズのうち前記偏光変換光学系の前記無効入射面に光を入射させる部分の少なくとも一部に形成されていることが好ましい。
【００１４】
偏光変換光学系の無効入射面に入射する光は、偏光変換光学系において有効に利用できない光である。従って、上記構成においては、平面部を有せずに複数の小レンズが敷き詰め配置されていると仮定したときと比べて、照明光学系の光の利用効率をほとんど低下させることがない。
【００１５】
ここで、前記第２のレンズアレイの中心を通り、互いに垂直な２つの基準軸を定義したときに、前記第２のレンズアレイの複数の小レンズを区分する区分線のうち少なくとも一部は、前記２つの基準軸から離れるに従って、前記２つの基準軸に対する傾きが大きくなるように形成されていることが好ましい。
【００１６】
また、前記第２のレンズアレイの複数の小レンズの少なくとも一部は、前記２つの基準線のうち、一方の基準線に平行な２つの区分線と、他方の基準線に対して傾いた２つの区分線とで区分された台形形状を有しているようにしてもよい。
【００１７】
上記のようにすれば、入射する部分光線束の輪郭形状の傾きに応じて第２のレンズアレイの小レンズを形成することができる。
【００１８】
また、前記平面部の表面には光拡散面が形成されていることが好ましい。
【００１９】
このようにすれば、前記平面部に入射した光は拡散されるので、偏光変換光学系の無効入射面に入射する光を減少させることができる。偏光変換光学系の無効入射面に入射する光を減少させれば、偏光板等の偏光子での発熱を低く押さえることができる。
【００２０】
また、前記平面部の表面には遮光面が形成されているようにしてもよい。
【００２１】
前記平面部に遮光面を形成すれば、偏光変換光学系の無効入射面に入射するような光を容易に遮光することができる。
【００２６】
上記照明光学系において、
入射光線束を前記入射光線束の幅よりも小さな幅を有する射出光線束に変換するアフォーカル光学系を備えることが好ましい。
【００２７】
アフォーカル光学系を備えれば、照明光学系から射出される光線束の幅が、アフォーカル光学系を備えない場合に比べて縮小することができるので、照明領域を照射する光線束の入射角を小さくすることができる。一般に、光学要素に入射する光線束の入射角が小さい方が、その光学要素における光の利用効率がよい。従って、上記構成の照明光学系によれば、光の利用効率を向上させることができる。
【００２８】
ここで、前記第１のレンズアレイの近傍に、前記アフォーカル光学系を実現するための集光機能を有する集光レンズを備えており、
前記第２のレンズアレイの複数の小レンズは、前記アフォーカル光学系を実現するための光を平行化する機能を有していることが好ましい。
【００２９】
上記構成によれば、アフォーカル光学系を容易に実現できる。
【００３０】
本発明の投写型表示装置は、
上記各照明光学系のいずれか１つと、
前記照明領域としての光入射面を有し、前記照明光学系からの入射光を画像信号に応じて変調する光変調装置と、
前記光変調装置で得られる変調光を投写する投写光学系と、
を備えることを特徴とする。
【００３１】
上述したように、本発明の照明光学系は、従来に比べて光の利用効率を向上させることができる。従って、本発明の照明光学系が組み込まれた投写型表示装置では、投写画像の明るさを向上させることができる。
【００３２】
なお、本発明の照明光学系は、分割光学系によるインテグレータ光学系を有しているので、光源から射出された光が光線束の断面内でその光強度分布に大きな偏りを有していた場合でも、明るさが均一で明るさや色むらの無い照明光を得ることが可能となるため、投写面全体に渡って明るさが均一で明るさや色むらの無い投写画像を得ることができる。
【００３３】
上記投写型表示装置は、さらに、前記照明光学系からの射出光を少なくとも２色の色光に分離する色光分離光学系と、
前記色光分離光学系により分離された各色光をそれぞれ変調する複数の前記光変調装置と、
それぞれの前記光変調装置で変調された後の各色の変調光を合成する色光合成光学系と、を備え、
前記色光合成手段によって得られた合成光が前記投写光学系を介して投写されるようにすることもできる。
【００３４】
このようにすれば、従来より明るく均一でむらの無いカラー画像を投写表示することができる。
【００３５】
【発明の実施の形態】
以下、図面を参照して本発明の各実施例を説明する。尚、以下の各実施例においては、特に断りのない限り、光の進行方向をｚ軸方向（光軸と平行な方向）とし、ｚ軸方向から見て１２時の方向をｙ軸方向（縦方向）とし、３時の方向をｘ軸方向（横方向）とする。
【００３６】
Ａ．第１実施例の全体構成：
図１は、第１実施例としての照明光学系１００の要部を平面的に見た概略構成図である。この照明光学系１００は、光源２０と、分割光学系３０と、偏光変換光学系６０と、重畳光学系（重畳レンズ）７０と、を備えている。これらの各光学要素２０，３０，６０，７０は、それぞれの中心軸が照明光学系１００のシステム光軸１００ａｘに一致するように配置されている。分割光学系３０および重畳光学系７０は、照明領域ＬＡの有効照明領域ＥＬＡをほぼ均一に照明するためのインテグレータ光学系を構成している。
【００３７】
光源２０は、放射状の光線を射出する放射光源としての光源ランプ２２と、光源ランプ２２から射出された放射光をほぼ平行な光線束として射出する凹面鏡２４とを有している。光源ランプ２２としては、通常、メタルハライドランプや高圧水銀灯などの高圧放電灯が用いられる。凹面鏡２４としては、放物面鏡を用いることが好ましい。なお、放物面鏡に代えて、楕円面鏡や球面鏡なども用いることができる。
【００３８】
分割光学系３０は、第１のレンズアレイ４０と、第２のレンズアレイ５０とを備えている。第１のレンズアレイ４０は、光源２０から射出された略平行な光を、複数の部分光線束に分割するとともに、それぞれの部分光線束を集光して第２のレンズアレイ５０および偏光変換光学系６０の近傍に集光像を形成する機能を有している。
【００３９】
図２は、第１のレンズアレイ４０を示す説明図である。図２（Ａ）は光の入射面側（光源２０側）から見た正面図である。図２（Ｂ）および（Ｃ）は平面図および側面図である。第１のレンズアレイ４０は、略矩形形状の輪郭を有する平凸状の第１の小レンズ４２が複数行（Ｍ行）複数列（Ｎ列）に敷き詰め配列された構成を有している。なお、レンズアレイの大きさは、複数行複数列に敷き詰め配列された小レンズ全体の大きさをいい、それ以外の周辺部分を含まない。なお、図２は、Ｍ＝８，Ｎ＝６の例を示している。第１の小レンズ４２は、外形形状が略矩形形状を有しているが、レンズの光軸はレンズの中心にある。以下では、このようにレンズの中心と光軸が一致しているレンズを「同心レンズ」と呼ぶ。
【００４０】
各第１の小レンズ４２をｚ軸方向に向かって見た外形形状は、通常、有効照明領域ＥＬＡの形状とほぼ相似形をなすように設定されている。例えば、照明領域として液晶パネルを想定し、有効照明領域である画像の形成領域のアスペクト比（横と縦の寸法の比率）が４：３であるならば、第１の小レンズ４２のアスペクト比も４：３に設定することが好ましい。
【００４１】
図３は、第２のレンズアレイ５０を示す説明図である。図３（Ａ）は光の入射面側（第１のレンズアレイ４０側）から見た正面図である。図３（Ｂ）および（Ｃ）は平面図および側面図である。第１のレンズアレイ４０の第１の小レンズ４２と同じ数の第２の小レンズ５２が、ほぼマトリクス状に配列された構成を有している。
【００４２】
ここで、中心軸５０ａｘを通りｙ軸方向に沿った線を基準線５０ｙとし、中心軸５０ａｘを通りｘ軸方向に沿った線を基準線５０ｘとする。複数の第２の小レンズ５２は、基準線５０ｙを中心として左右両方向（±ｘ軸方向）に３列ずつ配列されている。右側の各列には、基準線５０ｘを中心として上下方向に８個の第２の小レンズ５２が配列されている。各第２の小レンズ５２は、その配置位置に応じてそれぞれ異なった形状を有している。左側の各列は、右側の各列と同様である。なお、以下では、左側または右側を省略して各列を示す場合もある。この場合には、左側または右側の列を示している。
【００４３】
第２の小レンズ５２の各列は、第１のレンズアレイ４０のように第１の小レンズ４２の各列が敷き詰め配列されるのではなく（図２）、平面部５４を介して離間して配列されている。但し、左右の第１列同士は、敷き詰め配列されている。なお、左右の第１列同士も、他の列と同様に平面部５４を介して離間配列されるようにしてもよい。
【００４４】
第２のレンズアレイ５０の縦方向の高さおよび横方向の長さＬ５０は、第１のレンズアレイ４０の縦方向の高さＨ４０（図２）および横方向の長さＬ４０にほぼ等しい。但し、左右両端の平面部５４に相当する長さだけ小さくなっている。
【００４５】
なお、第２のレンズアレイ５０の第２の小レンズ５２の形状および平面部５４については、後述する。
【００４６】
図４は、第２のレンズアレイ５０および第１のレンズアレイ４０をｚ軸方向から示す正面図である。なお、図４に示す破線は、第１のレンズアレイ４０を示している。また、＋印は、第１のレンズアレイの各第１の小レンズ４２の光軸を示している。第２のレンズアレイ５０の各第２の小レンズ５２の光軸は、対応する第１のレンズアレイ４０の第１の小レンズ４２の光軸と一致するように構成されている。
【００４７】
なお、第１のレンズアレイ４０のレンズの向きは、図１に示す向きに限定される必要はなく、射出面側に凸面を有するように配置してもよい。第２のレンズアレイ５０も図１に示す向きに限定される必要はなく、射出面側に凸面を有するように配置してもよい。また、重畳光学系７０も、図１に示す向きに限定される必要はなく、入射面側に凸面を有するように配置してもよい。
【００４８】
図１の偏光変換光学系６０は、システム光軸１００ａｘを中心として第２のレンズアレイ５０の−ｘ軸方向側から射出される各部分光線束が入射する第１の偏光変換素子アレイ６０ａと、＋ｘ軸方向側から射出される各部分光線束が入射する第２の偏光変換素子アレイ６０ｂと、を備えている。
【００４９】
図５は、第１の偏光変換素子アレイ６０ａの構成を示す斜視図である。第１の偏光変換素子アレイ６０ａは、遮光板６２と、偏光ビームスプリッタアレイ６４と、偏光ビームスプリッタアレイ６４の光射出面の一部に選択的に配置されたλ／２位相差板６８とを備えている。偏光ビームスプリッタアレイ６４は、それぞれ断面が平行四辺形の柱状の複数の第１の透光性部材６４ａが順次貼り合わされ、その両端に断面が台形の柱状の第２と第３の透光性部材６４ｂ，６４ｃが貼り合わされた形状を有している。なお、第２と第３の透光性部材６４ｂ、６４ｃは、第１の透光性部材６４ａと同じ断面が平行四辺形の柱状体であってもよい。また、断面が略直角三角形の柱状体であってもよい。
【００５０】
各透光性部材６４ａ，６４ｂ、６４ｃの界面には、偏光分離膜６６ａと反射膜６６ｂとが交互に形成されている。なお、この偏光ビームスプリッタアレイ６４は、偏光分離膜６６ａと反射膜６６ｂとが交互に配置されるように、これらの膜が形成された複数枚の板ガラスを貼り合わせて、所定の角度で斜めに切断することによって作製される。偏光分離膜６６ａは誘電体多層膜で、また、反射膜６６ｂは誘電体多層膜あるいはアルミニウム膜で形成することができる。
【００５１】
λ／２位相差板６８は、偏光分離膜６６ａあるいは反射膜６６ｂの光の射出面のｘ方向の写像部分に、選択的に配置されている。この例では、偏光分離膜６６ａの光の射出面のｘ方向の写像部分にλ／２位相差板６８が選択配置されている。
【００５２】
遮光板６２は、複数の遮光面６２ａと複数の開口面６２ｂとがストライプ状に配列して構成されたものである。この例では、反射膜６６ｂの光の入射面のｘ方向の写像部分に遮光面６２ａが配列され、偏光分離膜６６ａの光の入射面のｘ方向の写像部分に開口面６２ｂが配列されている。これにより、第１の偏光変換素子アレイ６０ａに入射する光のうち開口面６２ｂを通過した光が、偏光分離膜６６ａにのみ入射する。遮光板６２としては、平板状の透明体（例えばガラス板）に遮光性の膜（例えばクロム膜、アルミニウム膜、及び、誘電体多層膜）を部分的に形成したものや、あるいは、例えばアルミニウム板のような遮光性の平板に開口部を設けたもの等を使用できる。
【００５３】
図６は、第１の偏光変換素子アレイ６０ａの機能を示す説明図である。遮光板６２の開口面６２ｂを通過した非偏光な光線束（ｓ偏光光＋ｐ偏光光）は、偏光ビームスプリッタアレイ６４の偏光分離膜６６ａに入射し、２種類の直線偏光光（ｓ偏光光とｐ偏光光と）に分離される。ｐ偏光光のほとんどは、偏光分離膜６６ａをそのまま透過する。一方、ｓ偏光光のほとんどは、偏光分離膜６６ａで反射され、さらに反射膜６６ｂで反射されて、偏光分離膜６６ａをそのまま通過したｐ偏光光とほぼ平行な状態で射出される。偏光分離膜６６ａを透過したｐ偏光光は、λ／２位相差板６８によってｓ偏光光に変換されて射出する。この結果、第１の偏光変換素子アレイ６０ａに入射した非偏光な光のほとんどはｓ偏光光に変換されて射出する。もちろん反射膜６６ｂで反射される光の射出面部分だけにλ／２位相差層６８を形成することにより、ほとんどの光線束をｐ偏光光に変換して射出することもできる。
【００５４】
ここで、非偏光な光が偏光分離膜６６ａではなく、反射膜６６ｂに直接入射するとすると、第１の偏光変換素子アレイ６０ａからは、ｓ偏光光ではなくｐ偏光光の光が射出されることになる。上述したように、本実施例では、遮光板６２の遮光面６２ａによって反射膜６６ｂに光が入射するのを防止している。従って、反射膜６６ｂに非偏光な光が入射して、第１の偏光変換素子アレイ６０ａから望ましくない直線偏光光が射出されるのを防止することができる。
【００５５】
なお、隣り合う１つの偏光分離膜６６ａおよび１つの反射膜６６ｂと、１つのλ／２位相差板６８とを含む１つのブロックを、１列の偏光変換素子とみなすことができる。偏光変換素子アレイ６０ａは、このような偏光変換素子が、ｘ方向に複数列配列されたものである。この実施例では、３列の偏光変換素子で構成されている。
【００５６】
第２の偏光変換素子アレイ６０ｂは、システム光軸１００ａｘを対称軸として偏光変換素子アレイ６０ａと対称な構造を有しており、同様の機能を有しているので、説明を省略する。
【００５７】
なお、以上の説明からわかるように、遮光板６２の遮光面６２ａに対応する偏光変換素子アレイ６０ａ，６０ｂの光の入射面が偏光変換光学系６０の無効入射面に相当し、遮光板６２の開口面６２ｂに対応する偏光変換素子アレイ６０ａ，６０ｂの光の入射面が偏光変換光学系６０の有効入射面に相当する。本実施例では、偏光変換素子アレイ６０ａ，６０ｂの反射膜６６ｂのｘ方向の写像部分が無効入射面に相当し、偏光分離膜６６ａのｘ方向の写像部分が有効入射面に相当する。
【００５８】
なお、上記偏光変換光学系６０としては、２つの偏光変換素子アレイ６０ａ，６０ｂではなく、１つの偏光変換素子アレイを備えるようにすることも可能である。
【００５９】
図１の光源２０から射出された光は、第１のレンズアレイ４０の複数の第１の小レンズ４２によって複数の部分光線束に分割される。分割された複数の部分光線束は、第２のレンズアレイ５０の対応する第２の小レンズ５２に入射されるように集光されて、第２のレンズアレイ５０および偏光変換光学系６０の近傍でそれぞれそれぞれ集光像を形成する。なお、図１は、説明を容易にするため、各部分光線束の中心軸を実線で示している。第２のレンズアレイ５０は、各第２の小レンズ５２に入射した光が照明領域ＬＡに有効に照射されるように集光する機能を有している。各第２の小レンズ５２から射出された部分光線束は、偏光変換光学系６０の偏光分離膜６６ａに入射する。偏光変換光学系６０に入射した複数の部分光線束は、上述したように、ほとんど１種類の直線偏光光にそれぞれ変換される。偏光変換光学系６０から射出された複数の部分光線束は、重畳光学系７０に入射し、重畳光学系７０の重畳作用によって、照明領域ＬＡの有効照明領域ＥＬＡ上でほぼ重畳される。この結果、有効照明領域ＥＬＡは、ほとんど１種類の直線偏光光でほぼ均一に照明されることになる。
【００６０】
なお、第２のレンズアレイ５０と、偏光変換光学系６０と、重畳光学系７０とは、離間して示されている。しかしながら、通常は、それぞれの界面における光の損失を低減するために、それぞれを接着剤で貼り合わせるなどして、密接して配置されることが好ましい。また、重畳光学系７０は、省略することも可能である。
【００６１】
Ｂ．第２のレンズアレイ５０の機能：
以下では、第２のレンズアレイ５０の機能を説明するため、まず、図７に示す比較例のレンズアレイ５０Ｍの機能を説明する。この比較例のレンズアレイ５０Ｍは、小レンズ列の間に平面部が形成されていない点以外は、図３に示した第２のレンズアレイ５０と同じである。
【００６２】
図８は、第１のレンズアレイ４０によって形成される集光像について示す説明図である。図の集光像は、等高線によって示された光強度によって表されている。図８は、第２のレンズアレイ５０の右上部にある１／４の部分の集光像のみを示している。なお、通常、光源２０から射出される光の特性は、光軸を中心として対称となるため、左半分の集光像は右半分の集光像に対して左右対称となり、下半分の集光像は上半分の集光像に対して上下対称となる。
【００６３】
光源２０を構成する光源ランプ２２は、点光源ではないため、各部分光線束の集光像も、光源ランプの形状に応じた形状を有している。この例では、システム光軸１００ａｘと集光像の形成される位置とを結ぶ方向（以下、「放射方向」と呼ぶ）に沿って細長い形状（略長円形状や略楕円形状）を有している。また、光源２０から射出される光は、システム光軸１００ａｘから離れるほど平行性に優れる傾向にあるため、周辺の集光像ほど全体の大きさが小さくなる傾向にある。
【００６４】
このような場合、第２のレンズアレイが、第１のレンズアレイ４０と同じ形状を有するレンズアレイであると仮定すると、図８に示すように、各部分光線束による集光像が対応する小レンズからはみ出してしまう部分が多く発生する場合がある（図中、斜線で示す）。第１のレンズアレイおよび第２のレンズアレイによって構成される分割光学系は、それぞれ対応する小レンズを通過した光線束が、重畳光学系７０を介して有効照明領域ＥＬＡに照射されるように設定されている。従って、対応する小レンズ以外のレンズに入射した光線束は、有効照明領域ＥＬＡに有効に照射されない場合がある。上記のように、はみ出している部分が多いと、それだけ照明光学系としての光の利用効率が低下することになる。
【００６５】
図９は、第１のレンズアレイ４０によって比較例である第２のレンズアレイ５０Ｍの近傍位置に形成された集光像と第２のレンズアレイ５０Ｍとの関係について示す説明図である。各集光像の長軸のｘ軸に対する傾きは、放射方向、すなわち、システム光軸１００ａｘと各集光像の中心とを結ぶ線とｘ軸との成す角に応じて変化する。例えば、図９の下から第１行目の集光像は、長軸がｘ軸方向に沿うように形成されており、図９の左から第１列目の集光像は、長軸がｙ軸方向に沿うように形成されている。第２、第３列目の第２、第３行目の集光像は、長軸がその位置に応じて傾いて形成されている。そこで、第２のレンズアレイ５０Ｍは、各部分光線束によって形成される集光像の長軸の傾き応じて、各集光像を効率良く区分するように、それぞれの位置に応じた台形形状の第２の小レンズ５２Ｍによって構成されている。具体的には、各集光像は、第２のレンズアレイ５０Ｍの各第２の小レンズ５２Ｍによって以下のように区分されている。
【００６６】
各列は、ｙ軸に平行に区分されている。各行は、集光像の長軸の傾きに応じて異なった傾き（ｘ軸に対する傾き）で区分されている。例えば、システム光軸１００ａｘから離れた行ほど集光像の長軸の傾きが大きくなるので、これに応じて各行間の区分線の傾きは大きくなる。但し、システム光軸１００ａｘから第１列目の各集光像は、その長軸がほとんどｙ軸に沿うようにたっているので、各行間の区分線は、各集光像の長軸の傾きに応じて若干傾きを有しているが、ほぼｘ軸に沿って区分されている。
【００６７】
上記のように構成された第２のレンズアレイ５０Ｍの場合、各集光像が、対応する第２の小レンズ５２Ｍからはみ出すことを抑制することができるので、第２のレンズアレイとして第１のレンズアレイ４０と同様な略矩形形状の小レンズで構成されたレンズアレイを用いた場合に比べて、照明光学系の効率を向上させることができる。
【００６８】
なお、第２のレンズアレイ５０Ｍは、第２のレンズアレイ５０Ｍを構成する第２の小レンズ５２Ｍが台形形状である場合を示しているが、これに限定されるものではない。また、上記説明では、光源から射出される光の特性が、システム光軸１００ａｘを中心として対称であるとして説明しているが、対称でない場合にも適用可能である。要するに、第２のレンズアレイを、各集光像を効率良く区分するように、対応する集光像の大きさや傾き等の輪郭形状に応じて、矩形形状以外の多角形形状を有する小レンズで構成するようにすれば、各集光像が、対応する第２の小レンズからはみ出すことを抑制することができるので、第２のレンズアレイとして第１のレンズアレイ４０と同様な略矩形形状の小レンズで構成されたレンズアレイを用いた場合に比べて、照明光学系の効率を向上させることができる。
【００６９】
図９は、第２のレンズアレイ５０Ｍと、第１のレンズアレイ４０によって第２のレンズアレイ５０Ｍの近傍位置に形成された集光像との関係について示す説明図である。各集光像の長軸のｘ軸に対する傾きは、放射方向とｘ軸との成す角、すなわち、システム光軸１００ａｘと各集光像の中心とを結ぶ方向とｘ軸との成す角に応じて変化する。例えば、図９の下から１行目の集光像は、長軸がｘ軸方向に沿うように形成されており、図９の左から１列目の集光像は、長軸がｙ軸方向に沿うように形成されている。第２、第３列目の第２、第３行目の集光像は、長軸がその位置に応じて傾いて形成されている。そこで、第２のレンズアレイ５０Ｍは、各部分光線束によって形成される集光像の長軸の傾き応じて、各集光像を効率良く区分するように、それぞれの位置に応じた台形形状の第２の小レンズ５２Ｍによって構成されている。具体的に、第２のレンズアレイ５０Ｍの各第２の小レンズ５２Ｍは以下のように区分されている。
【００７０】
第２のレンズアレイ５０Ｍの各列を区分する区分線は、ｙ軸方向に平行な直線で区分されている。なお、各列を区分する区分線は、必ずしも直線でなくてもよく、また、ｙ軸に平行でなくてもよい。但し、以下の理由からｙ軸方向に平行な直線であることが好ましい。
【００７１】
図９の下部には、偏光変換光学系６０が参考的に示されている。偏光変換光学系６０の遮光面６２ａおよび開口面６２ｂは、第２のレンズアレイ５０Ｍの各列毎に配置されている。また、各列の開口面６２ｂは、第２のレンズアレイ５０から射出された部分光線束がそれぞれ入射するように配列されており、遮光面６２ａは各列の開口面６２ｂの間に配列されている。従って、各列を区分するｙ軸に沿った区分線のｘ軸方向の位置は、遮光面６２ａのｘ軸方向の幅の中にあることが好ましい。そこで、第２のレンズアレイ５０Ｍの各列は、ｙ軸方向に平行な直線で区分されている。このようにすれば、各列の区分が容易である。
【００７２】
第２のレンズアレイ５０Ｍの各行は、集光像の長軸の傾きに応じて異なった傾き（ｘ軸に対する傾き）で区分されている。例えば、システム光軸１００ａｘから離れた行ほど集光像の長軸の傾きが大きくなるので、これに応じて各行間の区分線の傾きは大きくなる。但し、第１列目の各集光像は、その長軸がほとんどｙ軸に沿うように立っているので、各行間の区分線は、各集光像の長軸の傾きに応じて若干傾きを有しているが、ほぼｘ軸に沿って区分されている。
【００７３】
また、第２のレンズアレイ５０は以下のように区分されていると見ることもできる。すなわち、システム光軸１００ａｘを通り、ｘ軸に平行な基準線（基準軸）を５０ｘとし、ｙ軸に平行な基準線（基準軸）を５０ｙとすると、基準線５０ｘに沿った１行目および基準線５０ｙに沿った１列目の第２の小レンズ５２を区分する区分線以外の第２の小レンズの区分線は、少なくとも２つの基準線５０ｘ，５０ｙから離れるに従って、２つの基準線５０ｘ，５０ｙに対する傾きが大きくなるように形成されている。
【００７４】
上記のように構成された第２のレンズアレイ５０Ｍを用いた場合、各集光像が、対応する第２の小レンズ５２Ｍからはみ出すことを抑制することができるので、第２のレンズアレイとして第１のレンズアレイと同じ形状のレンズアレイを用いた場合に比べて、照明光学系の効率を向上させることができる。
【００７５】
なお、上記説明では、第２のレンズアレイ５０Ｍを構成する第２の小レンズ５２Ｍが台形形状である場合を示しているが、これに限定されるものではない。例えば、三角形や五角形、あるいは菱形であってもよい。また、上記説明では、光源２０から射出される光の特性が、システム光軸１００ａｘを中心として対称であるとして説明しているが、対称でない場合にも適用可能である。要するに、第２のレンズアレイを、各集光像を効率良く区分するように、対応する集光像の大きさや傾き等の輪郭形状に応じて、矩形形状以外の多角形形状を有する小レンズで構成するようにすればよい。
【００７６】
本実施例の第２のレンズアレイ５０は、上記比較例の第２のレンズアレイ５０Ｍの各小レンズＭ列方向の端部を平面部５４としている。この変形は、以下の利点を有している。
【００７７】
第２のレンズアレイ５０Ｍのように小レンズが敷き詰め配置されているようなレンズアレイを作製する場合、小レンズ同士が接する境界の形状が劣化しやすい。例えば、接している曲面の傾斜が小さくなったり大きくなったりする場合があり、これにより、その境界部分の厚みが厚くなったり、薄くなったりしてしまう。この境界部分が薄くなりすぎて分離してしまう場合もある。このような分離を防ぐため、通常、薄くなることを考慮してある程度厚みのあるレンズアレイを作製している。このような問題は、レンズ面同士が接している場合よりも、レンズ面と平面とが接する場合のほうが起こりにくい。
【００７８】
従って、第２のレンズアレイ５０は、遮光面６２ａと開口面６２ｂとが並ぶ方向に沿った各第２の小レンズ５２同士が互いに平面部５４を介して形成されているので、製造が容易であるという利点がある。
【００７９】
また、上述したように、比較例の第２のレンズアレイ５０Ｍの各列の各小レンズ５２Ｍの列方向の端部は、偏光変換光学系６０の遮光面６２ａに相当する位置にある。遮光面６２ａは無効入射面であるので、各小レンズ５２Ｍのうち、遮光面６２ａに入射する光を射出する部分が無くても、照明光学系全体の光の利用効率は変わらない。そこで、本実施例の第２のレンズアレイ５０は、比較例の第２のレンズアレイ５０Ｍのうち、遮光面６２ａに入射する光を射出する部分、すなわち、第２のレンズアレイ５０Ｍの各列の端部を平面部５４としたものである。
【００８０】
なお、各小レンズ５２Ｍのうち、遮光面６２ａに入射する光を射出する部分全体を平面部とする必要は無く、少なくとも一部を平面部とするようにすれば良い。すなわち、第２のレンズアレイの平面部は、このような平面部を有せずに複数の小レンズが敷き詰め配置されていると仮定したときに、複数の小レンズのうち偏光変換光学系の無効入射面に光を入射させる部分の少無くとも一部に形成されていれば良い。このようにすれば、第２のレンズアレイを容易に製造することができる。なお、平面部の幅は、少なくとも約２ｍｍ以上あればよい。
【００８１】
また、平面部５４の表面に遮光面を形成すれば、偏光変換素子アレイ６０ａ，６０ｂに設けられた遮光板６２を省略することもできる。この遮光面は、平面部５４の表面上に、遮光板を貼りつけたり、遮光性の膜を形成することにより実現できる。また、平面部５４の表面に拡散面を形成すれば、この平面部５４を通過して偏光変換素子アレイ６０ａ，６０ｂの遮光面６２ａに入射する光を削減することができる。これにより、偏光変換素子アレイ６０ａ，６０ｂに設けられた遮光板６２を省略することもできる。このような拡散面は、例えば、平面部５４の表面を金剛砂ですることによって形成することができる。
【００８２】
以上説明したように、本実施例の照明光学系１００は、第２のレンズアレイ５０を用いることにより、照明光学系の効率を向上させることができる。また、この第２のレンズアレイ５０は、製造が容易である。
【００８３】
Ｃ．第２実施例：
図１１は、第２実施例としての照明光学系１００Ａの要部を平面的に見た概略構成図である。この照明光学系１００Ａは、第１実施例の分割光学系３０と偏光変換光学系６０とを変更したものであり、他の構成は第１実施例と同じである。
【００８４】
第２実施例の分割光学系３０Ａは、第１のレンズアレイ４０Ａと、第２のレンズアレイ５０Ａとを備えている。
【００８５】
図１１は、第１のレンズアレイ４０Ａを示す説明図である。図１１（Ａ）は、第１のレンズアレイ４０Ａの斜視図である。図１１（Ｂ）は光の入射面側（光源２０側）から見た正面図である。図１１（Ｃ）および（Ｄ）は平面図および底面図であり、図１１（Ｅ）および（Ｄ）は、左側面図および右側面図である。第１のレンズアレイ４０Ａは、第１実施例の第１のレンズアレイ４０（図２）と同様に、略矩形形状の輪郭を有する平凸状の第１の小レンズ４２Ａが複数行複数列に敷き詰め配列された構成を有している。但し、各列の行数（各列に含まれる小レンズの数）は必ずしも同じである必要はない。
【００８６】
ここで、中心軸４０Ａａｘを通りｙ軸方向に沿った線を基準線４０Ａｙとし、中心軸４０Ａａｘを通りｘ軸方向に沿った線を基準線４０Ａｘとする。複数の第１の小レンズ４２Ａは、基準線４０Ａｙを中心として左右両方向（±ｘ軸方向）に３列ずつ配列されている。右側第１と第２列目の各列には、基準線４０Ａｘを中心として上下方向に８個の第１の小レンズ４２Ａが配列されており、右側第３列目の列には７個の第１の小レンズ４２が敷き詰め配列されている。また、右側第３列目の列の各行の第１の小レンズ４２は、右側第２列目の列の各行の第１の小レンズ４２のちょうど行間に配列されている。なお、左側の各列は、右側の各列と同様である。なお、以下では、左側または右側を省略して各列を示す場合もある。この場合には、左側または右側の列を示している。
【００８７】
図１１（Ｂ）に示す・，×，＋印は、各第１の小レンズ４２Ａの光軸の位置を示している。各第１の小レンズ４２Ａの光軸の位置は、配列されている位置に応じて異なった位置に設定されている。・印は第１列目の第１の小レンズ４２Ａの光軸の位置を示している。＋印は、２列目の第１の小レンズ４２Ａの光軸の位置を示し、×印は、３列目の第１の小レンズ４２Ａの光軸の位置を示している。
【００８８】
図１２は、第２のレンズアレイ５０Ａを示す説明図である。図１２（Ａ）は、第２のレンズアレイ５０Ａの斜視図である。図１２（Ｂ）は光の入射面側（第１のレンズアレイ４０Ａ側）から見た正面図である。図１２（Ｃ）および（Ｄ）は平面図および底面図であり、図１２（Ｅ）および（Ｄ）は、左側面図および右側面図である。
【００８９】
ここで、中心軸５０Ａａｘを通りｙ軸方向に沿った線を基準線５０Ａｙとし、中心軸５０Ａａｘを通りｘ軸方向に沿った線を基準線５０Ａｘとする。複数の第２の小レンズ５２Ａは、基準線５０Ａｙを中心として左右両方向（±ｘ軸方向）に２列ずつ配列されている。右側の第１列目には、基準線５０Ａｘを中心として上下方向に８個の第２の小レンズ５２Ａが配列されている。右側の第２列目には、１５個の第２の小レンズ５２Ａが配列されている。各列の列方向の端部には、第１実施例の第２のレンズアレイ５０（図３）と同様に、平面部５４Ａが設けられている。左側の各列も同様である。但し、左右の第１列同士は、敷き詰め配列されている。なお、左右の第１列同士も、他の列と同様に平面部５４Ａを介して離間配列されるようにしてもよい。各第２の小レンズ５２Ａは、その配置位置に応じてそれぞれ異なった形状を有している。なお、以下では、左側または右側を省略して各列を示す場合もある。この場合には、左側または右側の列を示している。
【００９０】
第２のレンズアレイ５０Ａの縦方向の高さおよび横方向の長さＬ５０Ａは、第１のレンズアレイ４０の縦方向の高さＨ４０Ａ（図２）および横方向の長さＬ４０Ａにほぼ等しい。但し、左右両端の平面部５４Ａに相当する長さだけ小さくなっている。
【００９１】
偏光変換光学系６０Ａは、第２のレンズアレイ５０Ａの列数に応じた列数の偏光変換素子を有する偏光変換素子アレイを、システム光軸１００Ａａｘに対して対称に備えている。本実施例では、偏光変換素子アレイ６０ａ（図５）よりも１列少ない偏光変換素子アレイが用いられている。
【００９２】
第２のレンズアレイ５０Ａも第１実施例の第２のレンズアレイ５０と同様に、図１３に示す第２のレンズアレイ５０Ｎの各第２の小レンズの列方向の端部を平面部としたものである。以下では、第２のレンズアレイ５０Ａの説明を容易にするため、第２のレンズアレイ５０Ａを第２のレンズアレイ５０Ｎとして説明する。
【００９３】
図１３は、第２のレンズアレイ５０Ｎを示す説明図である。図１３（Ａ）は、第２のレンズアレイ５０Ｎの斜視図である。図１３（Ｂ）は光の入射面側（第１のレンズアレイ４０Ａ側）から見た正面図である。図１３（Ｃ）および（Ｄ）は平面図および底面図であり、図１３（Ｅ）および（Ｄ）は、左側面図および右側面図である。
【００９４】
この第２のレンズアレイ５０Ｎは、第１実施例で説明した第１の機能を有する第２のレンズアレイ５０Ｍと同様に、配置位置に応じて異なった形状を有する第２の小レンズ５２Ｍが複数行複数列配列された構成を有している。第２のレンズアレイ５０Ｎは、第１のレンズアレイ４０Ａの各第１の小レンズ４２Ａに対応するように、第１の小レンズ４２Ａと同じ数の第２の小レンズ５２Ｎを有している。但し、第１のレンズアレイ４０Ａの第２列目と第３列目の小レンズに対応する第２のレンズアレイ５０Ｎの小レンズは、第２列目のみに、すなわち１列に並べられている。第２のレンズアレイ５０Ｎの縦方向の高さＨ５０Ｎおよび横方向の長さＬ５０Ｎは、第１のレンズアレイ４０Ａの縦方向の高さＨ４０Ａ（図１１（Ｂ））および横方向の長さＬ４０Ａにほぼ等しい。なお、中心軸５０Ｎａｘを通りｙ軸方向に沿った線を基準線５０Ｎｙとし、中心軸５０Ｎａｘを通りｘ軸方向に沿った線を基準線５０Ｎｘとする。
【００９５】
図１３（Ｂ）に示す・，×，＋印は、各第２の小レンズ５２Ｎの光軸の位置を示している。各第２の第２の小レンズ５２Ｎの光軸の位置は、配列されている位置に応じて異なった位置に設定されている。・印は第１列目の第２の小レンズ５２Ｎの光軸の位置を示している。＋印は、２列目の上から奇数行の第２の小レンズ５２Ｎの光軸の位置を示し、×印は、偶数行の第２の小レンズ５２Ｎの光軸の位置を示している。
【００９６】
以下では、この第２のレンズアレイ５０Ｎの説明を容易にするために、まず、図１４に示す仮想的な第２のレンズアレイ５０Ｂを用いた場合を例に説明する。図１４（Ａ）は、第２のレンズアレイ５０Ｂの光を入射面側（第１のレンズアレイ４０Ａ側）から見た正面図を示している。図１４（Ｂ）は底面図を示している。
【００９７】
第２のレンズアレイ５０Ｂは、略矩形形状の輪郭を有する平凸状の第２の小レンズ５２Ｂが複数行複数列に敷き詰め配列された構成を有している。第２のレンズアレイ５０Ｂは、第１のレンズアレイ４０Ａの各第１の小レンズ４２Ａに対応するように、第１の小レンズ４２Ａと同じ数の第２の小レンズ５２Ｂを有している。但し、以下に説明するように、第１のレンズアレイ４０Ａの第２列目と第３列目の小レンズに対応する第２のレンズアレイ５０Ｂの小レンズは、第２列目のみに、すなわち１列に並べられている。第２のレンズアレイ５０Ｂの縦方向の高さＨ５０Ｂおよび横方向の長さＬ５０Ｂは、レンズアレイ４０Ａの縦方向の高さＨ４０Ａ（図１１（Ｂ））および横方向の長さＬ４０Ａにほぼ等しい。なお、中心軸５０Ｂａｘを通りｙ軸方向に沿った線を基準線５０Ｂｙとし、中心軸５０Ｂａｘを通りｘ軸方向に沿った線を基準線５０Ｂｘとする。
【００９８】
複数の第２の小レンズ５２Ｂは、基準線５０Ｂｙを中心として左右両方向（±ｘ軸方向）に２列ずつ配列されている。右側第１列には、第１のレンズアレイ４０Ａの右側第１列に配列されている第１の小レンズ４２Ａ（図１１（Ｂ））と同じ数の第２の小レンズ５２Ｂが配列されている。すなわち、基準線５０Ｂｘを中心として上下両方向にそれぞれ４行の第２の小レンズ５２Ｂが配列されている。右側第２列目の列には、第１のレンズアレイ４０Ａの右側第２、第３列目に配列された第１の小レンズ４２Ａの数の和と同じ数、すなわち１５個の第２の小レンズ５２Ｂが配列されている。右側第２列目の列の奇数行の第２の小レンズ５２Ｂは、第１のレンズアレイ４０Ａの右側第２列目の第１の小レンズ４２Ａに対応しいる。また、偶数行の第２の小レンズ５２Ｂは、第１のレンズアレイ４０Ａの右側第３列目の第１の小レンズ４２Ａに対応している。
【００９９】
右側各列のｙ軸方向の全体の長さは同じに設定されている。但し、各第２の小レンズ５２のｚ軸方向から見たｙ方向の長さは、その位置に応じて異なった大きさを有している。なお、第２のレンズアレイ５０Ｂの左側の各第２の小レンズ５２Ａも右側と同様である。
【０１００】
図１４（Ａ）に示す・，×，＋印は、各第２の小レンズ５２Ｂの光軸の位置を示している。・印は第１列目の第２の小レンズ５２Ｂの光軸の位置を示している。＋印は、２列目の上から奇数行の第２の小レンズ５２Ｂの光軸の位置を示し、×印は、偶数行の第２の小レンズ５２Ａの第２の小レンズ５２Ｂの光軸の位置を示している。各第２の小レンズ５２Ｂの光軸の位置も、第１のレンズアレイ４０Ａの各第１の小レンズ４２Ａと同様に、配列されている位置に応じて異なった位置に設定されている。これは、以下の理由による。
【０１０１】
図１５は、第１のレンズアレイ４０Ａと第２のレンズアレイ５０Ｂとの配置関係を示す平面図である。システム光軸１００Ａａｘよりも−ｘ方向側と＋ｘ方向側とは、対称な構成であるので、ここでは、−ｘ方向側において説明する。
【０１０２】
第２のレンズアレイ５０Ｂは、第１のレンズアレイ４０Ａとほぼ同じ大きさを有しているが、図１１および図１４に示したように第１のレンズアレイ４０Ａの列数に比べて１列少ない。従って、第２のレンズアレイ５０Ｂの第２の小レンズ５２Ｂ（５２Ｂａ〜５２Ｂｃ）は、第１のレンズアレイ４０Ａの第１の小レンズ４２Ａ（４２Ａａ〜４２Ａｃ）に比べて、個々の小レンズのｘ軸方向の幅が大きい。このため、第１のレンズアレイ４０Ａの第１〜第３列目の第１の小レンズ４２Ａａ〜４２Ａｃは、対応する第２のレンズアレイ５０Ｂの第２の小レンズ５２Ｂａ〜５２Ｂｃに各部分光線束をそれぞれ入射させるように、それぞれ異なった位置に光軸を有するレンズで構成されている。また、第１のレンズアレイ４０Ａの第１の小レンズ４２Ａａ〜４２Ａｃに対応する第２のレンズアレイ５０Ｂの第２の小レンズ５２Ｂａ〜５２Ｂｃも、それぞれ異なった位置に光軸を有するレンズで構成されている。また、第１のレンズアレイ４０Ａの第２列目に対応する第２の小レンズ５２Ｂｂと第３列目に対応する第２の小レンズ５２Ｂｃは、上述したように、第２のレンズアレイ５０の第３列目を構成するように１列に配列されている。より具体的には第２の小レンズ５２Ｂｃと第２の小レンズ５２Ｂｂとが交互に配列されている。
【０１０３】
第１のレンズアレイ４０Ａの各第１の小レンズ４２Ａａ〜４２Ａｃから射出された各部分光線束は、各レンズの位置に応じて偏向され、第２のレンズアレイ５０Ｂの対応する各第２の小レンズ５２Ｂａ〜５２Ｂｃに入射する。各第２の小レンズ５２Ｂａ〜５２Ｂｃ入射した各部分光線束は、それぞれの中心軸がシステム光軸１００Ａａｘにほぼ平行となるように偏向される。
【０１０４】
図１６は、第１のレンズアレイ４０Ａによって第２のレンズアレイ５０Ｂの近傍位置に形成された集光像について示す説明図である。図１６は、図８と同様に、右上半分の集光像のみを示している。
【０１０５】
第２のレンズアレイ５０Ｂの近傍に形成される光の集光像は、図１６に示すように、２列に並ぶので、同じ幅の中に３列の集光像が形成される場合に比べて、集光像の列の間隔を広げることができる。このことは以下の利点を有している。
【０１０６】
偏光変換光学系は、図５及び図６を用いて説明したように、隣り合う偏光分離膜６６ａと反射膜６６ｂとを含む偏光変換素子を第２のレンズアレイの列数に応じた数だけ配列された構成を有しており、偏光変換素子に含まれる偏光分離膜６６ａに入射した光をほぼ１種類の直線偏光光に変換するものである。従って、偏光分離膜６６ａへの光の入射効率が高いほど光の利用効率が良い。
【０１０７】
第１のレンズアレイ４０Ａと第２のレンズアレイ５０Ｂにより分割光学系３０Ｂを構成した場合には、集光像の列の間隔（部分光線束の列間隔）を広げることができるので、偏光変換素子の列方向の幅を大きくすることができる。これにより、偏光変換素子に含まれる偏光分離膜６６ａの幅を大きくすることができるので、第２のレンズアレイ５０Ｂから射出された光の偏光変換光学系６０Ａへの入射効率を向上させることができる。この結果、照明光学系の光の利用効率を向上させることができる。
【０１０８】
また、集光像の列の間隔を、列数を少なくしない場合の集光像の間隔と同じとすれば、第２のレンズアレイおよび偏光変換光学系を小さくすることができる。この場合には、後段に配置される光学要素に入射する光線束の入射角を小さくすることができる。光学要素に入射する光線束の入射角が小さい方が、その光学要素における光の利用効率が良いので、結果として照明光学系の光の利用効率を向上させることができる。
【０１０９】
第２のレンズアレイ５０Ｎは、上記第２のレンズアレイ５０Ｂによる機能と第１実施例の第２のレンズアレイ５０Ｍの機能とを併せ持っている。すなわち、第２のレンズアレイ５０Ｂの近傍に形成される集光像は、図１６に示すように、その位置に応じて対応する小レンズからはみ出してしまう部分が発生する場合がある。そこで、第２のレンズアレイ５０Ｎは、図１７に示すように、各部分光線束によって形成される集光像を集光像の形状に応じて区分するように形成された多角形形状の第２の小レンズ５２Ｎで構成することとした。これにより、各部分光線束の集光像が対応する第２のレンズアレイ５０Ｎの第２の小レンズ５２Ｎからはみ出すことを抑制することができるので、仮想的な第２のレンズアレイ５０Ｂを用いた場合に比べて、照明光学系の光の利用効率を向上させることができる。
【０１１０】
本実施例の実施例の第２のレンズアレイ５０Ａは、上述の第２のレンズアレイ５０Ｎの各第２の小レンズの列方向の端部を平面部としたものであり、第２のレンズアレイ５０Ｎと同様の機能を有している。従って、本実施例の照明光学系１００Ａは、第２のレンズアレイとして第１のレンズアレイ４０と同様な略矩形形状の小レンズで構成されたレンズアレイを用いた場合に比べて、照明光学系の効率を向上させることができる。
【０１１１】
また、第２のレンズアレイ５０Ａは、各第２の小レンズ５２Ｎの列方向の端部が平面部５４で構成されているので、製造が容易である。さらに、以下に示す利点もある。
【０１１２】
図１８は、第２のレンズアレイ５０Ｎの第２列目の上から第２行目の第２の小レンズ５２Ｎと、第２のレンズアレイ５０Ａの第２列目の上から２行目の第２の小レンズ５２Ａとを示す概略側面図である。図１８（Ａ）および（Ｂ）からわかるように、第２のレンズアレイ５０Ａの第２の小レンズ５２の端部には、第２のレンズアレイ５０Ｎの第２の小レンズ５２Ｎの端部に相当する部分に平面部５４Ａが形成されている。このため、第２のレンズアレイ５０Ａの第２の小レンズ５２Ａのレンズ面が基板部５６に潜り込む度合いは、第２の小レンズ５２Ｎのレンズ面が基板部５６に潜り込む度合いに比べて小さくすることができる。これにより、第２のレンズアレイ５０Ｎに比べて基板部５６の厚みを薄くすることができるという利点がある。
【０１１３】
なお、本実施例の照明光学系１００Ａにおいては、第１のレンズアレイ４０Ａで分割された複数の部分光線束のうち、左端の２列および右端の２列によって形成される集光像をそれぞれ１列に配列するようにしている。しかし、これに限定されるものではない。例えば、３列以上の複数の列の部分光線束によって形成される集光像を１列に配列するようにしてもよい。また、左右両端の２列をそれぞれ１列にまとめる必要はなく、いずれか、一方のみを１列にまとめてもよい。また、最端の２列である必要もない。さらに、３列を２列にまとめるようにしてもよい。すなわち、一般には、第１のレンズアレイ内の複数の小レンズ列で形成された複数列の部分光線束を、より少ない列にまとめて第２のレンズアレイに入射させるようにすればよい。なお、以上の変形は、以下の第３実施例においても同様に適用可能である。
【０１１４】
Ｅ．第３実施例：
図１９は、第３実施例としての照明光学系１００Ｃの要部を平面的に見た概略構成図である。この照明光学系１００Ｃは、第２実施例の分割光学系３０Ａと偏光変換光学系６０Ａとを変更したものであり、他の構成は第２実施例と同じである。
【０１１５】
第３実施例の分割光学系３０Ｃは、第１のレンズアレイ４０Ｃと、第２のレンズアレイ５０Ｃとを備えている。
【０１１６】
図２０は、第１のレンズアレイ４０Ｃを示す説明図である。図２０（Ａ）は、第１のレンズアレイ４０Ｃの斜視図である。図２０（Ｂ）は光の入射面側（光源２０側）から見た正面図である。図２０（Ｃ）および（Ｄ）は平面図および底面図であり、図２０（Ｅ）および（Ｄ）は、左側面図および右側面図である。第１のレンズアレイ４０Ｃは、第２実施例の第１のレンズアレイ４０Ａ（図１１）の第１の小レンズ４２Ａが形成された面とは反対側に、第１のレンズアレイ４０Ａよりも大きな集光レンズ４４を備えた構成を有している。集光レンズ４４は平凸レンズである。
【０１１７】
第２のレンズアレイ５０Ｃは、集光レンズ４４によって集光される光線束の大きさに応じて、第２実施例の第２のレンズアレイ５０Ａ（図１２）を全体に縮小した形状を有している。但し、各第２の小レンズ５２Ｃは、集光レンズ４４によって集光される光を平行光に戻す機能と、第２のレンズアレイ５０Ａの各第２の小レンズ５２Ａの機能とを併せ持つように構成されている。
【０１１８】
図２１は、第１のレンズアレイ４０Ｃの集光レンズ４４の機能を示す説明図である。図２１は、光源２０と、集光レンズ４４と、第１のレンズアレイ４０Ｄと、第２のレンズアレイ５０Ｄとが順に配置された構成を示している。第１のレンズアレイ４０Ｄの各第１の小レンズ４２Ｄは、第１実施例のレンズアレイ４０を構成する第１の小レンズ４２と同じ同心レンズである。第２のレンズアレイ５０Ｄは、第１のレンズアレイの第１の小レンズ４２Ｄよりも小さい第２の小レンズ５２Ｄで構成されている。各第２の小レンズ５２Ｄは、その配置位置に応じて光軸の位置が異っている。
【０１１９】
光源２０から射出された略平行な光は、集光レンズ４４の集光作用によって集光光となる。集光レンズ４４から射出された集光光は、第１のレンズアレイ４０Ｄの各第１の小レンズ４２Ｄによって複数の部分光線束に分割される。各第１の小レンズ４２Ｄから射出された部分光線束は、各部分光線束の中心軸が集光レンズ４４の集光作用によってシステム光軸１００Ｄａｘの方向に傾くように偏向され、第２のレンズアレイ５０Ｄの対応する第２の小レンズ５２Ｄに入射する。第２の小レンズ５２Ｄは、入射した部分光線束の中心軸がシステム光軸１００Ｄａｘに平行となるように偏向する機能を有している。この結果、第２のレンズアレイ５０Ｄから射出される光の全体は、集光レンズ４４に入射した時の光の全体の幅よりも縮小される。このように、集光レンズ４４および第２のレンズアレイ５０Ｄは、集光レンズ４４に入射した光線束をその幅よりも小さな幅を有する光線束に変換するアフォーカル光学系として機能する。集光レンズ４４は、アフォーカル光学系を実現するための集光機能を有しており、第２のレンズアレイ５０Ｄはアフォーカル光学系を実現するための光を平行化する機能を有している。
【０１２０】
アフォーカル光学系から射出された光は、全体として縮小されているので、アフォーカル光学系のない場合に比べて、後段に配置される光学系への入射角を小さくすることができる。第２実施例でも説明したように、光学要素に入射する光線束の入射角が小さい方が、その光学要素における光の利用効率がよい。従って、アフォーカル光学系を備えることにより、光の利用効率を向上させることができる。
【０１２１】
本実施例の第１のレンズアレイ４０Ｃの集光レンズ４４はアフォーカル光学系の集光機能に相当し、第２のレンズアレイ５０Ｃは、第２実施例の第２のレンズアレイ５０Ａ（図１２）の機能と、上記第２のレンズアレイ５０Ｄ（図２１）の機能、すなわち、アフォーカル光学系の光を平行化する機能とを有している。従って、本実施例の照明光学系１００Ｃによれば、第２実施例と同様に、第２のレンズアレイ５０Ｃの後段に配置される偏光変換光学系６０Ｃへの入射効率を高めることができる。また、アフォーカル光学系の機能により、第２のレンズアレイ５０Ｃの後段に配置される光学要素における光の利用効率を向上させることができる。この結果、本実施例の照明光学系１００Ｃにおいても、光の利用効率を向上させることができる。また、この照明光学系１００Ｃに用いられる第２のレンズアレイ５０Ｃの製造が容易である。
【０１２２】
Ｆ．投写型表示装置：
図２２は、本発明の照明光学系１００Ｃを用いた投写型表示装置１０００の要部を平面的に見た概略構成図である。この投写型表示装置１０００は、本発明の照明光学系１００Ｃを用いている。
【０１２３】
投写型表示装置１０００は、照明光学系１００Ｃと、色光分離光学系２００と、リレー光学系２２０と、３つの液晶ライトバルブ３００Ｒ，３００Ｇ，３００Ｂと、クロスダイクロイックプリズム３２０と、投写光学系３４０とを備えている。投写型表示装置１０００は、照明光学系１００Ｃから射出された光を、色光分離光学系２００で赤（Ｒ）、緑（Ｇ）、青（Ｂ）の３色の色光に分離し、分離された各色光を液晶ライトバルブ３００Ｒ，３００Ｇ，３００Ｂを通して画像情報（画像信号）に対応させて変調し、変調された各色光をクロスダイクロイックプリズム３２０で合成して、投写光学系３４０を介してスクリーンＳＣ上に画像を表示するものである。
【０１２４】
照明光学系１００Ｃは、上述したように、偏光方向の揃えられた直線偏光光（上述の例では、ｓ偏光光）の照明光を射出し、照明領域ＬＡである液晶ライトバルブ３００Ｒ，３００Ｇ，３００Ｂを照明する。液晶ライトバルブ３００Ｒ，３００Ｇ，３００Ｂは、それぞれ、液晶パネルと、その光入出射面側に配置された偏光板とによって構成されている。液晶パネルの光の入射面に配置されている偏光板は、照明光の偏光度をさらに高めるためのものであり、照明光学系１００Ｃから射出される直線偏光光の偏光方向が、これらの偏光板の透過軸方向となるように配置されている。このようにすれば、照明光学系１００Ｃから射出された照明光に含まれる直線偏光光の純度（偏光度）をより高めることができる。なお、照明光学系１００Ｃから射出される照明光の偏光度が著しく高い場合には、この光入射面側に配置される偏光板を省略することもできる。
【０１２５】
色光分離光学系２００は、２枚のダイクロイックミラー２０２，２０４と、反射ミラー２０８とを備えており、照明光学系１００から射出される光線束を、赤、緑、青の３色の色光に分離する機能を有する。第１のダイクロイックミラー２０２は、照明光学系１００から射出された光の赤色光成分を透過させるとともに、青色光成分と緑色光成分とを反射する。第１のダイクロイックミラー２０２を透過した赤色光Ｒは、反射ミラー２０８で反射されて、クロスダイクロイックプリズム３２０へ向けて射出される。色光分離光学系２００から射出された赤色光Ｒは、フィールドレンズ２３２を通って赤色光用の液晶ライトバルブ３００Ｒに達する。このフィールドレンズ２３２は、照明光学系１００から射出された各部分光線束をその中心軸に対して平行な光線束に変換する。他の液晶ライトバルブの前に設けられたフィールドレンズ２３４，２３０も同様である。
【０１２６】
第１のダイクロイックミラー２０２で反射された青色光Ｂと緑色光Ｇのうちで、緑色光Ｇは第２のダイクロイックミラー２０４によって反射されて、色光分離光学系２００からクロスダイクロイックプリズム３２０へ向けて射出される。色光分離光学系２００から射出された緑色光Ｇは、フィールドレンズ２３４を通って緑色光用の液晶ライトバルブ３００Ｇに達する。一方、第２のダイクロイックミラー２０４を透過した青色光Ｂは、色光分離光学系２００から射出されて、リレー光学系２２０に入射する。リレー光学系２２０に入射した青色光Ｂは、リレー光学系２２０に備えられる入射側レンズ２２２、リレーレンズ２２６および反射ミラー２２４，２２８および射出側レンズ（フィールドレンズ）２３０を通って青色光用の液晶ライトバルブ３００Ｂに達する。ここで、青色光Ｂにリレー光学系が用いられているのは、青色光Ｂの光路の長さが他の色光の光路の長さよりも長いため、光の利用効率の低下を防止するためである。すなわち、入射側レンズ２２２に入射した青色光をそのまま、射出側レンズ２３０に伝えるためである。なお、照明光学系１００の重畳光学系７０から、液晶ライトバルブ３００Ｒ、液晶ライトバルブ３００Ｇ、入射側レンズ２２２までの距離は、ほぼ等しくなるように設定されている。
【０１２７】
３つの液晶ライトバルブ３００Ｒ，３００Ｇ，３００Ｂは、与えられた画像信号に従って、３色の色光をそれぞれ変調して画像を形成する光変調装置としての機能を有する。クロスダイクロイックプリズム３２０は、液晶ライトバルブ３００Ｒ，３００Ｇ，３００Ｂを通って変調された３色の色光を合成してカラー画像を形成する色光合成光学系としての機能を有する。なお、クロスダイクロイックプリズム３２０には、赤色光を反射する誘電体多層膜が形成された赤色光反射ダイクロイック面３２１と、青色光を反射する誘電体多層膜が形成された青色光反射ダイクロイック面３２２とが、４つの直角プリズムの界面に略Ｘ字状に形成されている。これらの赤色光反射ダイクロイック面３２１と青色光反射ダイクロイック面３２２によって３つの色光が合成されて、カラー画像を投写するための合成光が形成される。クロスダイクロイックプリズム３２０で生成された合成光は、投写光学系３４０の方向に射出される。投写光学系３４０は、クロスダイクロイックプリズム３２０から射出された合成光を投写して、スクリーンＳＣ上にカラー画像を表示する。なお、投写光学系３４０としてはテレセントリックレンズを用いることができる。
【０１２８】
この投写型表示装置１０００は、光の利用効率の高いインテグレータ光学系による照明光学系１００Ｃを用いているので、均一で明るい画像を表示させることができる。
【０１２９】
上記実施例においては、照明光学系１００Ｃを用いた場合を例に説明しているが、他の実施例の照明光学系を用いることも可能である。
【０１３０】
上記投写型表示装置１０００においては、本発明の照明光学系１００Ｃを、３つの液晶パネル（液晶ライトバルブ）を用いてカラー画像を投写する投写型表示装置に適用した場合を説明しているが、これに限定される必要はない。本発明の照明光学系は、種々の装置における照明光学系として利用可能である。例えば、１枚の液晶パネルを用いてモノクロ画像やカラー画像を投写する投写型表示装置にも適用可能である。また、投写型表示装置以外の表示装置にも適用可能である。
【０１３１】
また、上記投写型表示装置１０００は、透過型の投写型表示装置に本発明の照明光学系を適用した場合を例に説明しているが、本発明の照明光学系は、反射型の投写型表示装置にも適用することが可能である。ここで、「透過型」とは、光変調装置が光を透過するタイプであることを意味しており、「反射型」とは、光変調装置が光を反射するタイプであることを意味している。反射型の光変調装置としては、例えば、反射型の液晶パネルや、ディジタル・マイクロミラー・デバイス（ＴＩ社の商標）がある。反射型の投写型表示装置では、クロスダイクロイックプリズムは、光を赤、緑、青の３色の光に分離する色光分離手段として利用できると共に、変調された３色の光を再度合成して同一の方向に射出する色光合成手段としても利用できる。反射型の投写型表示装置にこの発明を適用した場合にも、透過型の投写型表示装置とほぼ同様な効果を得ることができる。
【０１３２】
なお、本発明は上記の実施例や実施形態に限られるものではなく、その要旨を逸脱しない範囲において種々の態様において実施することが可能である。
【図面の簡単な説明】
【図１】第１実施例としての照明光学系１００の要部を平面的に見た概略構成図である。
【図２】第１のレンズアレイ４０を示す説明図である。
【図３】第２のレンズアレイ５０を示す説明図である。
【図４】第２のレンズアレイ５０および第１のレンズアレイ４０をｚ軸方向から示す正面図である。
【図５】第１の偏光変換素子アレイ６０ａの構成を示す斜視図である。
【図６】第１の偏光変換素子アレイ６０ａの機能を示す説明図である。
【図７】比較例の第２のレンズアレイ５０Ｍを示す説明図である。
【図８】第１のレンズアレイ４０によって形成される集光像について示す説明図である。
【図９】第１のレンズアレイ４０によって比較例である第２のレンズアレイ５０Ｍの近傍位置に形成された集光像と第２のレンズアレイ５０Ｍとの関係について示す説明図である。
【図１０】第２実施例としての照明光学系１００Ａの要部を平面的に見た概略構成図である。
【図１１】第１のレンズアレイ４０Ａを示す説明図である。
【図１２】第２のレンズアレイ５０Ａを示す説明図である。
【図１３】第２のレンズアレイ５０Ｎを示す説明図である。
【図１４】第２のレンズアレイ５０Ｂを示す説明図である。
【図１５】第１のレンズアレイ４０Ａと第２のレンズアレイ５０Ｂとの配置関係を示す平面図である。
【図１６】第１のレンズアレイ４０Ａによって第２のレンズアレイ５０Ｂの近傍位置に形成された集光像について示す説明図である。
【図１７】第２のレンズアレイ５０Ｎと第１のレンズアレイ４０によって第２のレンズアレイ５０Ａの近傍位置に形成された集光像との関係について示す説明図である。
【図１８】第２のレンズアレイ５０Ｎの第２列目の上から第２行目の第２の小レンズ５２Ｎと、第２のレンズアレイ５０Ａの第２列目の上から２行目の第２の小レンズ５２Ａとを示す概略側面図である。
【図１９】第３実施例としての照明光学系１００Ｃの要部を平面的に見た概略構成図である。
【図２０】第１のレンズアレイ４０Ｃを示す説明図である。
【図２１】第１のレンズアレイ４０Ｃの集光レンズ４４の機能を示す説明図である。
【図２２】本発明の照明光学系１００Ｃを用いた投写型表示装置１０００の要部を平面的に見た概略構成図である。
【符号の説明】
２０…光源
２２…光源ランプ
２４…凹面鏡
３０…分割光学系
３０Ａ…分割光学系
３０Ｂ…分割光学系
３０Ｃ…分割光学系
４０…第１のレンズアレイ
４０Ａ…第１のレンズアレイ
４０Ｃ…第１のレンズアレイ
４０Ｄ…第１のレンズアレイ
４２…第１の小レンズ
４２Ａ…第１の小レンズ
４２Ａａ〜４２Ａｃ…第１の小レンズ
４２Ｄ…第１の小レンズ
４４…集光レンズ
５０…第２のレンズアレイ
５０Ａ…第２のレンズアレイ
５０Ｂ…第２のレンズアレイ
５０Ｃ…第２のレンズアレイ
５０Ｄ…第２のレンズアレイ
５０Ｍ…第２のレンズアレイ
５０Ｎ…第２のレンズアレイ
５２…第２の小レンズ
５２Ａ…第２の小レンズ
５２Ｂ…第２の小レンズ
５２Ｂａ〜５２Ｂｃ…第２の小レンズ
５２Ｃ…第２の小レンズ
５２Ｄ…第２の小レンズ
５２Ｍ…第２の小レンズ
５２Ｎ…第２の小レンズ
５４…平面部
５４Ａ…平面部
５６…基板部
６０…偏光変換光学系
６０Ａ…偏光変換光学系
６０Ｃ…偏光変換光学系
６０ａ，６０ｂ…偏光変換素子アレイ
６２…遮光板
６２ａ…遮光面
６２ｂ…開口面
６４…偏光ビームスプリッタアレイ
６４ａ…第１の透光性部材
６４ｂ…第２の透光性部材
６４ｃ…第３の透光性部材
６６ａ…偏光分離膜
６６ｂ…反射膜
７０…重畳光学系
１００…照明光学系
１００Ａ…照明光学系
１００Ｃ…照明光学系
１０００…投写型表示装置
２００…色光分離光学系
２０２…第１のダイクロイックミラー
２０４…第２のダイクロイックミラー
２０８…反射ミラー
２２０…リレー光学系
２２２…入射側レンズ
２２４，２２８…反射ミラー
２２６…リレーレンズ
２３０…射出側レンズ（フィールドレンズ）
２３２…フィールドレンズ
２３４…フィールドレンズ
３００Ｒ，３００Ｇ，３００Ｂ…液晶ライトバルブ
３２０…クロスダイクロイックプリズム
３２１…赤色光反射ダイクロイック面
３２２…青色光反射ダイクロイック面
３４０…投写光学系
【図１】
0003684927.tif 000002
【図２】
0003684927.tif 000003
【図３】
0003684927.tif 000004
【図４】
0003684927.tif 000005
【図５】
0003684927.tif 000006
【図６】
0003684927.tif 000007
【図７】
0003684927.tif 000008
【図８】
0003684927.tif 000009
【図９】
0003684927.tif 000010
【図１０】
0003684927.tif 000011
【図１１】
0003684927.tif 000012
【図１２】
0003684927.tif 000013
【図１３】
0003684927.tif 000014
【図１４】
0003684927.tif 000015
【図１５】
0003684927.tif 000016
【図１６】
0003684927.tif 000017
【図１７】
0003684927.tif 000018
【図１８】
0003684927.tif 000019
【図１９】
0003684927.tif 000020
【図２０】
0003684927.tif 000021
【図２１】
0003684927.tif 000022
【図２２】
0003684927.tif 000023